(57)【要約】【課題】本発明は、適応型無線受信装置および方法について提供する。【解決手段】前記受信装置は、アンテナと、バンドパスフィルタと、フロントエンド・ユニットと、復調器とを有している。前記受信装置がゼロ中間周波数（ＺＩＦ）モードおよび低中間周波数（ＬＩＦ）モードで動作しているとき、前記フロントエンド・ユニットの内部要素が再利用される。前記フロントエンド・ユニットは、第１および第２下方変換ミキサーと、アナログフィルタと、第１および第２アナログ・デジタル変換器（ＡＤＣ）と、デジタルフィルタとを有する。【選択図】図４
2007329926.tif 000002
【特許請求の範囲】
【請求項１】
多重標準をサポートするために無線周波数（ＲＦ）信号を処理する適応型無線受信装置であって、
前記ＲＦ信号を受信するアンテナと、
前記ＲＦ信号をフィルタリングするバントパスフィルタ（ＢＰＦ）と、
前記ＢＰＦからのフィルタリング済み信号を処理してデジタル信号を生成するフロントエンド・ユニットと、
前記デジタル信号を復調する復調器とを有し、
前記フロントエンド・ユニットは、前記適応型無線受信装置がゼロ中間周波数（ＺＩＦ）モードで動作するとき、チャネル選択を実行するとともに、前記適応型無線受信装置が低中間周波数（ＬＩＦ）モードで動作するとき、画像除去を実行するものであることを特徴とする適応型無線受信装置。
【請求項２】
前記フロントエンド・ユニットは、
前記フィルタリングされたＲＦ信号のための低雑音増幅器（ＬＮＡ）と、
増幅されたＲＦ信号（前記増幅ＲＦ信号）を無線周波数（ＲＦ）から中間周波数（ＩＦ）に変換して同相（Ｉ）信号を生成する第１ミキサーと、
前記増幅ＲＦ信号をＲＦからＩＦに変換して直角位相（Ｑ）信号を生成する第２ミキサーと、
前記Ｉ信号および前記Ｑ信号をフィルタリングするアナログフィルタと、
フィルタリングされた前記Ｉ信号をアナログからデジタルに変換する第１アナログ・デジタル変換器（ＡＤＣ）と、
フィルタリングされた前記Ｑ信号をアナログからデジタルに変換する第２ＡＤＣと、
デジタル化された前記Ｉ信号および前記Ｑ信号をフィルタリングするデジタルフィルタとを有する請求項１に記載の適応型無線受信装置。
【請求項３】
前記第１ミキサーは、局部発信器（ＬＯ）信号をＬＯから受信するとともに、前記Ｉ信号を生成するために前記ＬＮＡからの前記増幅ＲＦ信号を前記ＬＯ信号に混合する請求項２に記載の適応型無線受信装置。
【請求項４】
前記第２ミキサーは、前記ＬＯ信号から９０度位相がシフトされた位相シフトＬＯ信号を受信するとともに、前記Ｑ信号を生成するために前記ＬＮＡからの前記増幅ＲＦ信号を前記位相シフトＬＯ信号に混合する請求項３に記載の適応型無線受信装置。
【請求項５】
前記アナログフィルタは、前記ＺＩＦモードにおいて、前記Ｉ信号およびＱ信号によって形成されたＩＦ信号の帯域から所望チャネルを選択する請求項２に記載の適応型無線受信装置。
【請求項６】
前記デジタルフィルタは、前記ＺＩＦモードにおいて、前記ＩＦ信号についてのチャネル選択をさらに実行する請求項５に記載の適応型無線受信装置。
【請求項７】
前記アナログフィルタは、前記ＬＩＦモードにおいて、前記Ｉ信号およびＱ信号によって形成されたＩＦ信号から画像を除去する請求項２に記載の適応型無線受信装置。
【請求項８】
前記デジタルフィルタは、前記ＬＩＦモードにおいて、前記ＩＦ信号からの画像除去をさらに実行する請求項７に記載の適応型無線受信装置。
【請求項９】
前記アナログフィルタは複素フィルタであるとともに、
前記デジタルフィルタは複素フィルタである請求項２に記載の適応型無線受信装置。
【請求項１０】
前記第１ミキサーは、パス整合のために前記第２ミキサーと同一のものであるとともに、
前記第１ＡＤＣは、パス整合のために前記第２ＡＤＣと同一のものである請求項２に記載の適応型無線受信装置。
【請求項１１】
バンドパス（ＢＰ）無線周波数（ＲＦ）信号を所望中間周波数（ＩＦ）信号に変換する装置であって、
前記ＢＰ ＲＦ信号を増幅して増幅ＲＦ信号を生成する低雑音増幅器（ＬＮＡ）と、
前記増幅ＲＦ信号をＲＦからＩＦに変換して同相（Ｉ）信号を生成する第１ミキサーと、
前記増幅ＲＦ信号をＲＦからＩＦに変換して直角位相（Ｑ）信号を生成する第２ミキサーと、
前記Ｉ信号および前記Ｑ信号をフィルタリングするアナログフィルタと、
フィルタリングされた前記Ｉ信号および前記Ｑ信号をアナログからデジタルに変換する第１および第２アナログ・デジタル変換器（ＡＤＣ）と、
デジタル化された前記Ｉ信号および前記Ｑ信号をフィルタリングするデジタルフィルタとを有することを特徴とする装置。
【請求項１２】
前記第１ミキサーは、局部発信器（ＬＯ）信号をＬＯから受信するとともに、前記Ｉ信号を生成するために前記ＬＮＡからの前記増幅ＲＦ信号を前記ＬＯ信号に混合する請求項１１に記載の装置。
【請求項１３】
前記第２ミキサーは、前記ＬＯ信号について９０度位相シフトした位相シフトＬＯ信号を受信するとともに、前記Ｑ信号を生成するために前記ＬＮＡからの前記増幅ＲＦ信号を前記位相シフトＬＯ信号に混合する請求項１２に記載の装置。
【請求項１４】
前記アナログフィルタは、前記ＺＩＦモードにおいて、前記Ｉ信号およびＱ信号によって形成されたＩＦ信号の帯域から所望チャネルを選択するとともに、
前記デジタルフィルタは、前記ＺＩＦモードにおいて、さらなるチャネル選択を実行する請求項１１に記載の装置。
【請求項１５】
前記アナログフィルタは、前記ＬＩＦモードにおいて、前記Ｉ信号およびＱ信号によって形成されたＩＦ信号から画像を除去するとともに、
前記デジタルフィルタは、前記ＬＩＦモードにおいて、さらなる画像除去を実行する請求項１１に記載の装置。
【請求項１６】
受信装置によって無線周波数（ＲＦ）信号を中間周波数（ＩＦ）信号に変換する方法であって、
（ａ）前記ＲＦ信号を周波数帯域でフィルタリングするステップと、
（ｂ）フィルタリングされた前記ＲＦ信号を増幅するステップと、
（ｃ）前記受信装置がゼロ中間周波数（ＺＩＦ）モードおよび低中間周波数（ＬＩＦ）モードで動作しているときに、同相（Ｉ）信号および直角位相（Ｑ）信号を有するＩＦ信号となるように、前記増幅をされたＲＦ信号（増幅ＲＦ信号）を下方変換するステップと、
（ｄ）前記ＩＦ信号をフィルタリングするステップと、
（ｅ）フィルタリングされた前記ＲＦ信号を、デジタル化Ｉ信号とデジタル化Ｑ信号とを有するデジタル信号に変換するステップと、
（ｆ）前記デジタル信号をフィルタリングするステップとを有することを特徴とする方法。
【請求項１７】
前記ステップ（ｃ）は、
前記増幅ＲＦ信号に局部発信器（ＬＯ）信号を混合するステップと、
前記増幅ＲＦ信号と前記ＬＯ信号とを混合して構成された混合結果に従って前記Ｉ信号を生成するステップと、
前記ＬＯ信号について９０度位相をシフトした位相シフトＬＯ信号を前記増幅ＲＦ信号に混合するステップと、
前記増幅ＲＦ信号と前記位相シフトＬＯ信号との間の前記混合に従って前記Ｑ信号を生成するステップとをさらに有する請求項１６に記載の方法。
【請求項１８】
前記ステップ（ｄ）は、
前記ＺＩＦモードにおいて前記ＩＦ信号の帯域から所望チャネルを選択するステップをさらに有する請求項１６に記載の方法。
【請求項１９】
前記ステップ（ｆ）は、
前記ＺＩＦモードにおいて前記ＩＦ信号についてのさらなるチャネル選択を実行するステップをさらに有する請求項１８に記載の方法。
【請求項２０】
前記ステップ（ｄ）は、
前記ＬＩＦモードにおいて前記ＩＦ信号から画像を除去するステップをさらに有する請求項１６に記載の方法。
【請求項２１】
前記ステップ（ｆ）は、
前記ＬＩＦモードにおいて前記ＩＦ信号についてのさらなる画像除去を実行するステップをさらに有する請求項２０に記載の方法。
【発明の詳細な説明】
【技術分野】
【０００１】
本発明は、無線通信システムに関するものであり、特に多重標準および／または多重周波数帯域をサポートする適応型無線受信装置に関するものである。
【背景技術】
【０００２】
この出願は、２００６年６月８日に出願された米国仮出願Ｎｏ．６０／８１１，９０２、発明の名称「適応型無線受信装置」の利益を主張し、その出願内容の全てがこの引用によってここに組み込まれる。
【０００３】
現在、無線通信システムの需要増加は、無線受信装置の継続的開発をもたらしている。前記受信装置は、無線周波数（ＲＦ）信号伝送を一般に使用する。無線通信の分野では、通常、受信装置がアンテナを介してＲＦ信号を受信することができる。前記受信装置は、それらがベースバンド周波数に変換される前に、これらのＲＦ信号を所望の中間周波数（ＩＦ）信号に変換する。そして、これらのＩＦ信号は、前記ＩＦ信号が使用されるそれらの目的地に転送される。
【０００４】
図１は、従来の受信装置１００のブロック図を示している。通常、受信装置１００は、アンテナ１１０と、バンドパスフィルタ（ＢＰＦ）１２０と、ＲＦフロントエンド・ユニット１３０と、復調器１４０と、プロセッサ１５０とで構成されている。アンテナ１１０によって受信された後に、ＲＦ信号はＢＰＦ１２０によってフィルタにかけられる。ＲＦフロントエンド・ユニット１３０は、ＲＦ信号を高周波から特定ＩＦ（すなわち低周波）に下方変換する処理を実行する。復調器１４０はＲＦフロントエンド・ユニット１３０からのＩＦ信号を復調するとともに、プロセッサ１５０はアプリケーションの要求条件に基づいてＩＦ信号をさらに処理する。例えば、ゼロＩＦ（ＺＩＦ）受信装置および低ＩＦ（ＬＩＦ）受信装置など、多くの位相構成が、様々なアプリケーションの各種要求条件を満たすように、受信装置１００について開発されている。前記ＺＩＦ受信装置およびＬＩＦ受信装置は、ともに高集積に適している。
【０００５】
図２は、従来のＺＩＦ無線受信装置２００を示している。ＲＦフロントエンド２３０は、前記ＺＩＦ無線受信装置２００に具備されている。ＲＦフロントエンド・ユニット２３０は、低雑音増幅器（ＬＮＡ）２３１と、下方変換ミキサー２３２と、ローパスフィルタ（ＬＰＦ）２３４と、アナログ・デジタル変換器（ＡＤＣ）２３６および２３７とで構成できる。ＺＩＦ無線受信装置２００は、受信ＲＦ信号を、直接にＩ／Ｑ下方変換して、直流周波数付近を中心としたベースバンド周波数に変換することができる。ＬＰＦ２３４および２３５のカットオフ周波数は、所望チャネルの帯域幅の半分である。ＺＩＦ無線受信装置２００は、例えば高集積など、多くの利点がある。さらに、ＺＩＦ無線受信装置２００の出力は、搬送波信号が全くないＩ（同相）およびＱ（直角位相）信号である。しかしながら、Ｉ／Ｑパスの両方におけるチャネル選択のための２つのＬＰＦ２３４および２３５の使用は、大きなシリコン面積と、特別な低帯域幅と、特別な低雑音増幅器とを必要とする。その結果、前記ＺＩＦ無線受信装置に組み込まれている集積回路の複雑度およびコストが非常に増加される。さらに、前記ＩパスとＱパスとの間の不整合、および、ＲＦ信号とＬＯ信号との間での混合によって生じた直流オフセットは、ＺＩＦ無線受信装置２００の実行に悪影響を及ぼす。
【０００６】
図３は、従来のＬＩＦ無線受信装置３００を示している。前記ＬＩＦ無線受信装置３００は、ＲＦフロントエンド・ユニット３３０を有している。ＲＦフロントエンド・ユニット３３０は、ＬＮＡ３３１と、下方変換ミキサー３３２および３３３と、フィルタ３３４と、合成器３３５と、ＡＤＣ３３６とで構成されている。ＬＩＦ無線受信装置３００は、受信ＲＦ信号を、ベースバンド周波数から若干離れている特定の低中間周波数信号に変換する。フィルタ３３４は、ＩＦ信号に含まれている画像をフィルタで除去（すなわち画像除去）することができる。ＩパスおよびＱパスにおいて前記フィルタにかけられたＩＦ信号の２つの要素は合成器３３５によって合成され、次いで、フィルタにかけられたＩＦ信号はＡＤＣ３３６によってアナログからデジタルに変換されるとともに、復調器１４０によって復調される。ＬＩＦ無線受信装置３００の出力は搬送信号を有している。合成器３３５は、フィルタ３３４の中に具備されることができる。一実施形態として、フィルタ３３４は画像除去フィルタであってもよい。ＬＩＦ無線受信装置３００の主な欠点は、ＩパスとＱパスとの間での不整合によって生じる低ＩＲＲ（画像除去率）であり、これは前記受信装置システムの性能を非常に制限する。
【発明の開示】
【発明が解決しようとする課題】
【０００７】
例えばモバイル・デジタルテレビなどの様々なアプリケーションは、例えばＤＶＢ−Ｈ，Ｔ−ＤＭＢおよびＩＳＤＢ−Ｔなど、異なる種類の各種の動作環境標準となっている。これらの各種標準の全てをサポートするために、ＺＩＦ位相およびＬＩＦ位相は１つの単独シリコン回路に統合されるべきである。しかしながら、ＺＩＦ位相とＬＩＦ位相との間での不一致のために、従来の手法では多くの同調器がそれらの各種標準をサポートするために必要となる。さらに、従来の手法では、ハードウェアの再利用が非常に制限される。したがって、前記受信装置システムの性能が制限されるとともに、両方の位相が具備されるとき、その集積回路のシリコン面積が非常に拡張される。その結果、シリコン面積を低減させ、簡素な構成であり、かつ、高集積とした、複数の標準および／または複数の周波数帯域をサポートする適応型無線受信装置を具備する装置および方法が望まれている。そのような装置および方法に、本発明は主に指向されている。
【課題を解決するための手段】
【０００８】
一実施形態として、複数の標準をサポートするために無線周波数（ＲＦ）信号を処理する適応型受信装置が開示されている。前記受信装置は、アンテナと、バンドパスフィルタ（ＢＰＦ）と、フロントエンド・ユニットと、復調器とを有している。前記アンテナはＲＦ信号を受信する。前記ＢＰＦは前記ＲＦ信号をフィルタにかける。前記フロントエンド・ユニットは、前記ＢＰＦでフィルタにかけられた信号を処理してデジタル信号を生成する。前記復調器は、前記デジタル信号を復調する。前記フロントエンド・ユニットは、前記適応型無線受信装置がゼロ中間周波数（ＺＩＦ）モードで動作しているとき、チャネル選択を実行するとともに、前記適応型無線受信装置が低中間周波数（ＬＩＦ）モードで動作しているとき、画像除去を実行する。
【０００９】
一実施形態として、バンドパス（ＢＰ）無線周波数（ＲＦ）信号を所望中間周波数（ＩＦ）信号に変換する装置が開示されている。前記装置は、低雑音増幅器（ＬＮＡ）と、第１および第２ミキサーと、アナログフィルタと、第１および第２アナログ・デジタル変換器（ＡＤＣ）と、デジタルフィルタとを有している。前記ＬＮＡは、ＢＰ ＲＦ信号を増幅して、増幅ＲＦ信号を生成する。前記第１ミキサーは、前記増幅ＲＦ信号をＲＦからＩＦに変換して、同相（Ｉ）信号を生成する。前記第２ミキサーは、前記増幅ＲＦ信号をＲＦからＩＦに変換して、直角位相（Ｑ）信号を生成する。前記アナログフィルタは、前記ＩおよびＱ信号をフィルタリングする。前記第１および第２ＡＤＣは、フィルタリングされたＩおよびＱ信号をアナログからデジタルに変換する。前記デジタルフィルタは、デジタル化されたＩおよびＱ信号をフィルタリングする。
【００１０】
他の実施形態では、受信装置によって無線周波数（ＲＦ）信号を中間周波数（ＩＦ）信号に変換する方法が開示される。前記方法は、（ａ）前記ＲＦ信号を周波数帯域でフィルタリングするステップと、（ｂ）フィルタリングされた前記ＲＦ信号を増幅するステップと、（ｃ）前記受信装置がゼロ中間周波数（ＺＩＦ）モードおよび低中間周波数（ＬＩＦ）モードで動作しているときに、同相（Ｉ）信号および直角位相（Ｑ）信号を有するＩＦ信号となるように、前記増幅をされたＲＦ信号（増幅ＲＦ信号）を下方変換するステップと、（ｄ）前記ＩＦ信号をフィルタリングするステップと、（ｅ）フィルタリングされた前記ＲＦ信号を、デジタル化Ｉ信号とデジタル化Ｑ信号とを有するデジタル信号に変換するステップと、（ｆ）前記デジタル信号をフィルタリングするステップとを有する。
【発明を実施するための最良の形態】
【００１１】
本発明の利点は本発明の実施形態についての以下の詳細な説明によって明らかになり、その詳細な説明は添付図面に関連づけられて考慮されるべきである。
【００１２】
図４は、本発明に係る適応型無線受信装置４００の概略ブロック図を示す。適応型無線受信装置４００は、ＺＩＦ（ゼロ中間周波数）無線受信装置２００およびＬＩＦ（低中間周波数）無線受信装置３００と同様のものであるので、明瞭化のためにそれらの同様な構成要素は同様な符号で示されている。以下に詳細に説明された適応型無線受信装置４００は、ＺＩＦモードおよびＬＩＦモードの両方で動作することができる。適応型無線受信装置４００は、多重標準および多重周波数帯域をサポートするように構成されている。適応型無線受信装置４００は、アンテナ１１０と、バンドパスフィルタ（ＢＰＦ）１２０と、ＲＦ（無線周波数）フロントエンド・ユニット４３０と、変調器１４０とを有する。ＲＦフロントエンド・ユニット４３０は、ＬＮＡ（低雑音増幅器）４３１と、下方変換ミキサー４３２，４３３と、アナログフィルタ４３４と、ＡＤＣ（アナログ・デジタル変換器）４３５，４３６と、デジタルフィルタ４３７とを有する。
【００１３】
アンテナ１１０は、遠隔地からＲＦ信号を受信することに使用される。アンテナ１１０の数は固定されていないので、種々のアプリケーションの要求条件に基づいて各種のアンテナを使用することができる。アンテナ１００に接続されるものは、所望のカットオフ周波数を持つ帯域幅のＢＰＦ１２０である。ＢＰＦ１２０は、帯域選択の目的で使用される。ＢＰＦ１２０は、特定周波数帯域のＲＦ信号から望まれない妨害信号（すなわち、不要外部信号）を除去するために、ＲＦ信号をフィルタすることができる。フィルタにかけられた信号はより狭い帯域（すなわちスペクトル）となり、そこに多くのチャンネルが含まれている。適応型無線受信装置４００は、以下で詳細に説明されるように、命令に対応して信号帯域からチャンネルを選択する機能がある。また、ＢＰＦ１２０の数は固定されていないので、ＲＦ信号についての所望周波数帯域の要求条件にしたがって、各種のＢＰＦが使用できる。
【００１４】
そして、フィルタにかけられた信号はＬＮＡ４３１に出力され、そのフィルタにかけられた信号は増幅される（増幅信号）。その増幅信号は、下方変換ミキサー４３２，４３３に送られる。適応型無線受信装置４００は、局部発信信号を生成する局部発信器（ＬＯ）（図示せず）をさらに有する。ＬＯ信号は前記ＬＯによって調整されることができる。そして、ＬＯ信号は、適応型無線受信装置４００の同相（Ｉ）パスでは下方変換ミキサー４３２において、ＬＮＡ４３１からの前記増幅信号と混合される。換言すれば、ＬＮＡ４３１での増幅信号は、下方変換ミキサー４３２によって前記ＬＯからのＬＯ信号と混合されることで、非常に低い周波数に変換される。したがって、下方変換ミキサー４３２は、ＩパスにおいてＩＦ信号を生成する。ＩＦ信号は、ここでは簡略化のために下方変換Ｉ信号（すなわち、Ｉ信号）と呼ばれる。
【００１５】
前記ＬＯからのＬＯ信号の位相は、例えば移相器などの一つのユニットによって、９０度シフトされる。また、ＬＮＡ４３１からの増幅信号は、適応型無線受信装置４００の直角位相（Ｑ）パスを通じて処理される。具体的には、前記ＬＮＡ４３１の出力は、下方変換ミキサー４３３に入力される。下方変換ミキサー４３３は、下方変換Ｑ信号（すなわち、Ｑ信号）を生成するために、前記増幅信号に前記位相シフトＬＯ信号を混合する。前記下方変換ＩおよびＱ信号は、前記下方変換ミキサー４３２および４３３から前記アナログフィルタ４３４に別々に送信される。本実施形態では、前記下方変換ＩおよびＱ信号はＩＦ信号を形成する。
【００１６】
適応型無線受信装置４００が前記ＺＩＦモードで動作しているとき、前記受信ＲＦ信号は、前記下方変換ミキサー４３２および４３３によってベースバンド周波数（すなわち、中心周波数０Ｈｚでほぼ直流）に下方変換される。アナログフィルタ４３４は、前記ＩＦ帯域において所望チャネルを選択するために、ローパスフィルタ（ＬＰＦ）として構成されているものとしてもよい。アナログフィルタ４３４から出力される信号は、ＡＤＣ４３５および４３６によってアナログからデジタルに変換される。ＡＤＣ４３５および４３６から出力されるデジタル信号は、デジタルフィルタ４３７にさらに入力される。また、デジタルフィルタ４３７は、ＩＦ信号についての追加チャネル選択を提供するＬＰＦとして構成されているものとしてもよい。デジタルフィルタ４３７の使用は、アナログフィルタ４３４の設計についての厳しい要求条件を大きく緩和することができ、その結果、適応型無線受信装置４００のシリコン面積を削減することができる。
【００１７】
適応型無線受信装置４００が前記ＬＩＦモードで動作しているとき、前記受信ＲＦ信号は特定ＩＦ信号に下方変換される。前記ＬＯは、直流に近い特定ＩＦに変換するために、前記ＲＦ信号の帯域において所望チャネルを有効にする。前記所望チャネルに隣接したチャネルは、前記ＩＦ信号に干渉する画像をなすものである。前記ＺＩＦモードと同様に、アナログフィルタ４３４は、ＩＦ信号の帯域において所望チャネルを選択する目的で、ＬＰＦとして構成されていることとしてもよい。アナログフィルタ４３４のカットオフ周波数は前記所望チャネルの帯域幅と同じくらいのものを選択できるので、前記受信装置システムのシリコン面積が削減される。また、前記チャネル選択は、前記画像に含まれている干渉信号を除去することができる。換言すれば、アナログフィルタ４３４は、所望信号から画像を取り除くことができる画像除去フィルタとして構成されている。フィルタにかけられたＩおよびＱ信号は、アナログからデジタルに変換するためにＡＤＣ４３５および４３６に入力される。デジタルＩおよびＱ信号は、デジタルフィルタ４３７にさらに入力される。前記画像は、デジタルフィルタ４３７によって所望ＩＦ信号への干渉についてさらに排除される。デジタルフィルタ４３７は、多相フィルタで実現することができる。
【００１８】
以上で説明したように、アナログフィルタのみが従来の手法で画像除去するものとして受信装置において構成されている。良好な画像除去を実現するために、前記アナログフィルタの回路設計は非常に複雑であった。これによって、前記受信装置のコストがかなり高められていた。本実施形態では、デジタルフィルタ４３７の挿入は、従来手法でのアナログフィルタのみによって実行される画像除去機能を改善する。さらに、デジタルフィルタ４３７の挿入は、アナログフィルタについての厳しい要求条件を緩和するとともに、前記受信装置の複雑度を低減させる。
【００１９】
本実施形態では、アナログフィルタ４３４は複素フィルタとして構成されることができる。また、デジタルフィルタ４３７は、複素フィルタとして構成されることができる。そして、前記ＺＩＦモードか前記ＬＩＦモードかにかかわらず、デジタルフィルタ４３７でフィルタにかけられた信号は復調器１４０に出力され、復調が行われる。その復調信号は、各種アプリケーションの要求条件を満たすためのさらなる信号処理のために、プロセッサ１５０（図４では示していない）に送られる。
【００２０】
最適信号処理を確実にするために、２つのパス（すなわち、ＩパスおよびＱパス）は、パス整合を維持するためにできるだけ同一であるべきである。したがって、同一の下方変換ミキサー４３２および４３３とＡＤＣ４３５および４３６とが、ＩパスとＱパスとの間の良好な整合を得るために、使用されるべきである。これは、ＩパスおよびＱパスの要素によって引き起こされるあらゆる悪影響を最小化すること、を確実にする。
【００２１】
図５は、デジタル画像除去機能の実施形態の概要図５００を示す。前記デジタル画像除去機能は、主に、乗算器５１０，５２０，５３０，５４０と、加算器５５０，５６０からなるデジタルフィルタ４３７によって実現されている。デジタルＩ信号（すなわち、Ｉパスにおけるデジタル信号）は、コサイン信号が乗算されるように乗算器５１０に送られ、その後、乗算器５１０の乗算出力は加算器５５０に入力される。また、デジタルＩ信号は、サイン信号が乗算されるように乗算器５２０に送られ、その後、乗算器５２０の乗算出力は加算器５６０に入力される。同様に、デジタルＱ信号（すなわち、Ｑパスにおけるデジタル信号）は、サイン信号が乗算されるように乗算器５３０に送られ、その後、乗算器５３０の乗算出力は加算器５５０に入力される。また、デジタルＱ信号は、コサイン信号が乗算されるように乗算器５４０に送られ、その後、乗算器５４０の乗算出力は加算器５６０に出力される。乗算器５１０の出力は乗算器５２０の出力に加えられ、そして、その和が加算器５５０によって生成される。乗算器５２０の出力が乗算器５４０の出力から引き算され、そして、その差の値（前記差の値は和と呼ぶことができる）が加算器５６０によって生成される。両方の加算器５５０，５６０の和は、復調器１４０にさらに送られる。
【００２２】
前記ＬＩＦモードでは、デジタルＩおよびＱ信号に含まれていた画像が前記方法を通じて除去される。すなわち、デジタルフィルタ４３７は、ＩＦ帯域から所望チャネルをさらに選択する。前記ＺＩＦモードでは、図４のデジタルフィルタ４３７は、アナログフィルタ４３４によって所望チャネルの選択が行われた後に、上記方法を通じてＩＦ帯域から所望チャネルをさらに選択することができる。
【００２３】
動作において、適応型無線受信装置４００は、ＺＩＦモードおよびＬＩＦモードでＲＦ信号をＩＦ信号に変換することができる。適応型無線受信装置４００は、高密度集積と、簡素な構成と、コスト低減とによって特徴付けられる。アンテナ１１０はＲＦ信号を受信するとともに、帯域選択のためにＲＦ信号をＢＰＦ１２０に出力する。ＢＰＦ１２０は、ＲＦ信号に干渉する不要外部信号を除去するために、ＲＦ信号から不要外部信号を除去することができる。そして、ＢＰＦ１２０によってフィルタにかけられた信号は、さらなる信号処理のためにＲＦフロントエンド・ユニット４３０に送られる。
【００２４】
ＲＦフロントエンド・ユニット４３０では、ＬＮＡ４３１がＢＰＦ１２０によってフィルタにかけられた信号を増幅し、次いで、その増幅信号が下方変換ミキサー４３２および４３３に送られる。適応型無線受信装置４００に具備されている前記ＬＯ（図示せず）は、ＬＯ信号を生成する。前記ＬＯ信号は移相器によって９０度位相がシフトされている。ＬＮＡ４３１からの増幅信号は、前記Ｉパスにおいて前記Ｉ（同相）信号を生成するために、下方変換ミキサー４３２でＬＯ信号と混合される。また、ＬＮＡ４３１からの増幅信号は、前記Ｑパスにおいて前記Ｑ（直角位相）信号を生成するために、下方変換ミキサー４３３で位相シフトＬＯ信号と混合される。前記ＩおよびＱ信号は、ともにアナログフィルタ４３４に入力される。
【００２５】
ＺＩＦモードでは、アナログフィルタ４３４は前記ＩＦ帯域からの所望チャネルの選択に使用される。ＡＤＣ４３５および４３６は、ＩパスおよびＱパスのそれぞれで、アナログフィルタ４３４からのアナログ信号を対応デジタル信号に変換する。ＡＤＣ４３５および４３６からのデジタル信号を受けた後、デジタルフィルタ４３７は前記ＩＦ帯域から所望チャネルを選択する。
【００２６】
ＬＩＦモードでは、アナログフィルタ４３４は、所望ＩＦ信号への不要信号の干渉を防ぐために、画像周波数（すなわち画像）において不要信号を除去する。アナログフィルタ４３４でフィルタにかけられた信号は、ＡＤＣ４３５および４３６によってアナログからデジタルに変換される。前記ＩパスおよびＱパスにおけるデジタル信号はデジタルフィルタ４３７に送られる。アナログフィルタ４３４での不十分な画像除去のために、デジタルフィルタ４３７は、前記画像周波数（すなわち画像）での不要信号のさらなる除去に使用される。したがって、前記画像が前記所望信号に干渉することが回避される。
【００２７】
デジタルフィルタ４３７の使用は、アナログフィルタ４３４によって生じた不十分な信号フィルタリングを除去することができ、したがって、アナログフィルタ４３４についての厳しい要求条件を緩和することができる。その結果、適応型無線受信装置４００の複雑度が低減されるとともに、それらのコストが大幅に低減される。
【００２８】
従来の手法と比較して、適応型無線受信装置４００は、高集積機能を持っている。ハードウェアの再利用、例えば、ＺＩＦモードでのチャネル選択のためとＬＩＦモードでの画像除去のためとのアナログフィルタ４３４と、ＺＩＦモードでのさらなるチャネル選択のためとＬＩＦモードでのさらなる画像除去のためとのデジタルフィルタ４３７とは、適応型無線受信装置４００のコストを大幅に削減するとともに、その回路システムの集積度を高める。
【００２９】
しかしながら、ここで説明した実施形態は本発明を利用する複数の実施形態のうちの一部であり、例として示されただけで、これに限定されるものではない。添付された特許請求の範囲で定義された本発明の趣旨および範囲から実質的に逸脱しないで、他の多くの実施形態が当業者によって容易に理解できることは、明白である。さらに、本発明の構成要素が単数として開示またはクレームされている場合があるが、単数が明らかに記載されていないことを限度として、その複数が想定されている。
【図面の簡単な説明】
【００３０】
【図１】従来の受信装置のブロック図である。
【図２】従来のゼロ中間周波数（ＺＩＦ）無線受信装置のブロック図である。
【図３】従来の低中間周波数（ＬＩＦ）無線受信装置のブロック図である。
【図４】本発明に係る適応型無線受信装置の構成の概略ブロック図である。
【図５】図４の無線受信装置におけるデジタル画像除去機能の簡素化した実現手段の簡略化された構成図である。
【符号の説明】
【００３１】
１１０  アンテナ
１２０  バンドパスフィルタ（ＢＰＦ）
１４０  復調器
４３０  フロントエンド・ユニット
４３１  ＬＮＡ（低雑音増幅器）
４３２  下方変換ミキサー
４３３  下方変換ミキサー
４３４  アナログフィルタ
４３５  ＡＤＣ（アナログ・デジタル変換器）
４３６  ＡＤＣ（アナログ・デジタル変換器）
４３７  デジタルフィルタ
【図１】
2007329926.tif 000003
【図２】
2007329926.tif 000004
【図３】
2007329926.tif 000005
【図４】
2007329926.tif 000006
【図５】
2007329926.tif 000007